(57)【要約】【課題】閉域接続外の相手に送信する場合や時間帯による規制を受けている場合に緊急の送信を希望する利用者に簡易で安全性の高い規制解除方法を提供する。【解決手段】認証にパスワードを用いて一時的に発信規制を解除することで、利用者は緊急時でも簡単に発信することができ、規制解除の乱用を防止する。また時間による発信規制を利用して、通信料金の安い時間帯にのみ発信可能とすることで経費を節約できる。【選択図】　　　　図２
2004104180.tif 000002
【特許請求の範囲】
【請求項１】
電話による通話を行う通話手段と、
画像を読み取る読取手段と、
画像を出力する印刷手段と、
画像を保持する画像記憶手段と、
ネットワークとの接続を制御する通信制御手段と、
画像データを符号化・復号化する符号化・復号化手段と、
外部からの命令を入力し、前記命令に対する応答を表示する操作表示手段と、
発信規制を設定する宛先制限手段と、
前記発信規制の対象を保持する規制対象記憶手段と、
前記発信規制をパスワードによって解除する規制解除手段と、
規制解除の状態から規制状態に戻す復帰手段と、
前記パスワードを保持するパスワード記憶手段とを有することを特徴とするファクシミリ装置。
【請求項２】
前記宛先制限手段は、前記規制対象記憶手段によって保持された対象にのみ発信可能とする請求項１記載のファクシミリ装置。
【請求項３】
前記宛先制限手段は、前記規制対象記憶手段によって保持された対象にのみ発信不可能とする請求項１記載のファクシミリ装置。
【請求項４】
前記宛先制限手段は、指定した時間に発信規制を行う時間指定手段を有する請求項２または３記載のファクシミリ装置。
【請求項５】
前記時間指定手段による発信規制をパスワードによって解除する解除手段と、規制解除の状態から規制状態に戻す復帰手段とを有する請求項４記載のファクシミリ装置。
【発明の詳細な説明】
【０００１】
【発明の属する技術分野】
本発明は、発信の規制と解除を行う閉域接続されたファクシミリ装置に関する。
【０００２】
【従来の技術】
ファクシミリをネットワークに接続して享受できるサービスには自動再発信や同報発信、Ｇ３ファイル転送など様々なものがある。Ｇ３ファイル転送サービスは、パソコン等で作成した文書や各種データをファイル形式のまま送受信可能とする。Ｇ３とはＦＡＸの国際規格の一つで、アナログ回線で利用でき、通信速度は１４．４ｋｂｐｓ（スーパーＧ３では３３．６ｋｂｐｓ）で、Ａ４用紙１枚を約１分で送ることができる。
【０００３】
閉域接続（Ｃｌｏｓｅｄ　Ｕｓｅｒ　Ｇｒｏｕｐ）とはＩＴＵ−ＴのＩシリーズ勧告に規定されている特定ユーザ間通話に関する付加サービスである。通信範囲を登録済みのユーザグループに限定する。
【０００４】
発信側から発信規制を設定する例として、特許文献１と特許文献２を挙げる。共に通信料金を参照して発信を規制する。特許文献１では通信料金に上限を設けて、上限を超える通信先には発信規制を行う。特許文献２では料金が加算される基準の時間を定め、基準時間より短い時間で課金パルスが送られたときは、該当する通信先を発信規制先として登録する。
【０００５】
【特許文献１】
特開２０００−１３４３９８号公報
【特許文献２】
特開平０７−１８３９７４号公報
【０００６】
【発明が解決しようとする課題】
ファクシミリ装置における発信規制の設定および解除に関する問題点を述べる。
第一に、あらかじめ登録されている宛先以外には発呼できないという閉域接続を持ったファクシミリにおいて、登録外の宛先に対して、決められた人だけは送信させたい場合、この制限を解除する必要があり、複雑な操作を必要とするという問題点がある。
【０００７】
第二に、あらかじめ登録されている宛先には発呼できないという発信規制を持ったファクシミリにおいて、登録された宛先に対して、決められた人だけは送信させたい場合、この制限を解除する必要があり、複雑な操作を必要とするという問題点がある。
【０００８】
第三に、決められた時間のみ発信規制をかけたい場合、例えば海外への送信の場合で、料金が安くなる時間の時刻指定送信で対応してきたが、指定を忘れるとそのまま通信してしまうため、せっかくの経費節約も利用できないときがある。
【０００９】
第四に、決められた時間のみ発信規制がかけてられており、発信規制のかかった宛先へ緊急に送信したい場合、制限がかかっているため、送信できないという問題点がある。
【００１０】
上記問題点に対して、本発明は一時的に発信規制を解除する方法としてパスワード式による認証を実施し、規制解除の乱用を避けると同時に必要な発信を簡単に行うファクシミリ装置を提供することを目的とする。
【００１１】
【課題を解決するための手段】
上記課題を解決するために、請求項１記載の発明は、電話による通話を行う通話手段と、画像を読み取る読取手段と、画像を出力する印刷手段と、画像を保持する画像記憶手段と、ネットワークとの接続を制御する通信制御手段と、画像データを符号化・復号化する符号化・復号化手段と、外部からの命令を入力し、上記命令に対する応答を表示する操作表示手段と、発信規制を設定する宛先制限手段と、上記発信規制の対象を保持する規制対象記憶手段と、上記発信規制をパスワードによって解除する規制解除手段と、規制解除の状態から規制状態に戻す復帰手段と、上記パスワードを保持するパスワード記憶手段とを有することを特徴とする。
【００１２】
請求項２記載の発明は、上記宛先制限手段は、上記規制対象記憶手段によって保持された対象にのみ発信可能であると定めることを特徴とする。
【００１３】
請求項３記載の発明は、上記宛先制限手段は、上記規制対象記憶手段によって保持された対象にのみ発信不可能であると定めることを特徴とする。
【００１４】
請求項４記載の発明は、上記宛先制限手段は、指定した時間に発信規制を行う時間指定手段を有することを特徴とする。
【００１５】
請求項５記載の発明は、上記時間指定手段による発信規制をパスワードによって解除する解除手段と、規制解除の状態から規制状態に戻す復帰手段とを有することを特徴とする。
【００１６】
【発明の実施の形態】
以下、図面に示した実施の形態に基づいて本発明を詳細に説明する。図１は本発明の一実施例を示すファクシミリ装置の構成ブロック図である。図示したように、このファクシミリ装置は、電話モードの時相手電話機との間で通話を行う電話機１と定形のデジタル音声データおよび発生音データを記憶しておく音声ＲＯＭ２と上記音声ＲＯＭ２から読み出されたデジタルデータをアナログ信号に変換すると共に、所定のレベルに増幅した後出力する音声出力部３と、内蔵されたプログラムに従って装置全体を管理し、制御する制御部４と、操作者がファクシミリ装置に指示を与えるためのキーボードおよびファクシミリ装置から操作者にメッセージ等を伝達するための表示手段などからなる操作部５と、画情報などを一時的に格納しておくＲＡＭ６と、原稿上の画像を読み取るスキャナ７と、符号化復号化部（ＤＣＲ）１１によって復号化された受信画情報をＲＡＭ６を介して出力するプロッタ８と、公衆電話網を介して遠隔のファクシミリ装置との間に呼を設定するための網制御装置（ＮＣＵ）９と、Ｇ３伝送制御手順に従ってファクシミリ送受信を行う通信制御部１０と、低速モデムおよび高速モデムから成るモデム１２と、画情報を蓄積しておく画像メモリ１３と、電源遮断時に備えてバッテリでバックアップされ、画情報を蓄積しておくパラメータメモリ１４などを備えている。
【００１７】
なお、上記制御部４は着信時に発信側へ送信する音声メッセージに挿入する着信側名称データの登録処理を行うための名称登録処理手段を備え、この名称登録処理手段は音声ＲＯＭ２内の発生音データ部およびパラメータメモリ１４内の名称データ記憶部と共に着信側名称登録手段を構成する。また、制御部４内のＣＰＵおよびプログラムを内蔵したＲＯＭと音声出力部３とは音声合成手段を構成し、音声ＲＯＭ２内には予め設定された定形のデジタル音声データを記憶する音声データ記憶部を有している。
【００１８】
図２は第一の実施例における制御と動作例を示すフロー図である。以下、図１および図２に基づいてこの実施例の動作を説明する。
【００１９】
図２に示したように、送信するときは操作部５で電話番号を入力し（ステップ２１）、閉域接続が設定されている時（ステップ２２／ＹＥＳ）で、電話番号が登録されていない番号の時（ステップ２３／ＮＯ）で、パスワード入力がＯＫの時（ステップ２４／ＹＥＳ）は、ＦＡＸ送信する（ステップ２５）。閉域接続が設定されていないとき（ステップ２２／ＮＯ）はＦＡＸ送信（ステップ２５）する。閉域接続が設定されている時（ステップ２２／ＹＥＳ）で、電話番号が登録されている番号の時（ステップ２３／ＹＥＳ）は、ＦＡＸ送信する（ステップ２５）。閉域接続が設定されている時（ステップ２２／ＹＥＳ）で、電話番号が登録されていない番号の時（ステップ２３／ＮＯ）で、パスワード入力がＮＧの時（ステップ２４／ＮＯ）は、電話番号入力（ステップ２１）に戻る。
これにより、発信対象として登録されていない相手に対しても一時的に規制を解除し、発信することができる。
【００２０】
図３は第二の実施例における制御と動作例を示すフロー図である。以下、図１および図３に基づいてこの実施例の動作を説明する。
【００２１】
図３に示したように、送信するときは操作部５で電話番号を入力し（ステップ３１）、閉域接続が設定されている時（ステップ３２／ＹＥＳ）で、電話番号が登録されている番号の時（ステップ３３／ＹＥＳ）で、パスワード入力がＯＫの時（ステップ３４／ＹＥＳ）は、ＦＡＸ送信する（ステップ３５）。閉域接続が設定されていないとき（ステップ３２／ＮＯ）は，ＦＡＸ送信（ステップ３５）する。閉域接続が設定されている時（ステップ３２／ＹＥＳ）で、電話番号が登録されていない番号の時（ステップ３３／ＮＯ）は、ＦＡＸ送信する（ステップ３５）。閉域接続が設定されている時（ステップ３２／ＹＥＳ）で、電話番号が登録されている番号の時（ステップ３３／ＹＥＳ）で、パスワード入力がＮＧの時（ステップ３４／ＮＯ）は、電話番号入力（ステップ３１）に戻る。
これにより、発信対象外として登録されている相手にも一時的に規制を解除して発信することができる。
【００２２】
図４は第三の実施例における制御と動作例を示すフロー図である。以下、図１および図４に基づいてこの実施例の動作を説明する。
【００２３】
図４に示したように、送信するときは操作部５で電話番号を入力し（ステップ４１）、閉域接続が設定されている時（ステップ４２／ＹＥＳ）で、電話番号が登録されている番号の時（ステップ４３／ＹＥＳ）で、指定した時間の時（ステップ４４／ＹＥＳ）は、ＦＡＸ送信する（ステップ４５）。閉域接続が設定されていないとき（ステップ４２／ＮＯ）はＦＡＸ送信（ステップ４５）する。閉域接続が設定されている時（ステップ４２／ＹＥＳ）で、電話番号が登録されていない番号の時（ステップ４３／ＮＯ）は、ＦＡＸ送信する（ステップ４５）。閉域接続が設定されている時（ステップ４２／ＹＥＳ）で、電話番号が登録されている番号の時（ステップ４３／ＹＥＳ）で、指定した時間でない時（ステップ４４／ＮＯ）は、電話番号入力（ステップ４１）に戻る。
これにより、発信規制を利用して通信料金の低い時間帯にのみ発信可能とすることができる。
【００２４】
図５は第四の実施例における制御と動作例を示すフロー図である。以下、図１および図５に基づいてこの実施例の動作を説明する。
【００２５】
図５に示したように、送信するときは操作部５で電話番号を入力し（ステップ５１）、閉域接続が設定されている時（ステップ５２／ＹＥＳ）で、電話番号が登録されている番号の時（ステップ５３／ＹＥＳ）で、指定した時間の時（ステップ５４／ＹＥＳ）は、ＦＡＸ送信する（ステップ５６）。閉域接続が設定されていないとき（ステップ５２／ＮＯ）はＦＡＸ送信（ステップ５６）する。閉域接続が設定されている時（ステップ５２／ＹＥＳ）で、電話番号が登録されていない番号の時（ステップ５３／ＮＯ）は、ＦＡＸ送信する（ステップ５６）。閉域接続が設定されている時（ステップ５２／ＹＥＳ）で、電話番号が登録されている番号の時（ステップ５３／ＹＥＳ）で、指定した時間でない時（ステップ５４／ＮＯ）で、正しいパスワードが入力されたとき（ステップ５５／ＹＥＳ）は、ＦＡＸ送信する（ステップ５６）。閉域接続が設定されている時（ステップ５２／ＹＥＳ）で、電話番号が登録されている番号の時（ステップ５３／ＹＥＳ）で、指定した時間でない時（ステップ５４／ＮＯ）で、正しいパスワードが入力されないとき（ステップ５５／ＮＯ）は、電話番号入力（ステップ５１）に戻る。
これにより、発信規制のかかった時間帯でも一時的に規制を解除して通信を行うことができる。
【００２６】
【発明の効果】
以上説明したように、請求項１記載の発明によれば、送信相手が限定されている場合にパスワードを用いることによって一時的に規制を解除でき、送信を行える。
【００２７】
請求項２記載の発明によれば、閉域接続しているファクシミリ装置から閉域接続以外の送信をするとき、許可されたパスワードを知っている人のみが使用できるので、閉域外接続の発信を管理でき、ファクシミリの有効活用ができる。
【００２８】
請求項３記載の発明によれば、ファクシミリ装置から発信規制しているファクシミリへ送信をするとき、許可されたパスワードを知っている人のみが使用できるので、発信規制している宛先の通信を管理でき、ファクシミリの有効活用ができる。
【００２９】
請求項４記載の発明によれば、制限をかけた時間は発信できないので、料金が安くなる時間に確実に送信できるようになり、経費節減ができる。
【００３０】
請求項５記載の発明によれば、ファクシミリ装置から発信規制している宛先へ緊急に送信をするとき、許可されたパスワードを知っている人のみが使用できるので、発信規制している宛先の通信を管理でき、ファクシミリの有効活用ができる。
【図面の簡単な説明】
【図１】本発明の一実施例を示すファクシミリ装置の構成ブロック図である。
【図２】第一の実施例における制御と動作例を示すフロー図である。
【図３】第二の実施例における制御と動作例を示すフロー図である。
【図４】第三の実施例における制御と動作例を示すフロー図である。
【図５】第四の実施例における制御と動作例を示すフロー図である。
【符号の説明】
４　制御部
５　操作部
９　網制御装置
１０　通信制御部
１１　符号化復号化部
１２　モデム
【図１】
2004104180.tif 000003
【図２】
2004104180.tif 000004
【図３】
2004104180.tif 000005
【図４】
2004104180.tif 000006
【図５】
2004104180.tif 000007